(57)【要約】  測定機器は、測定対象媒体が示す第１の物理量を測定し、測定値を同一の物理量で可視表示すると共に、測定した前記第１の物理量に対応付けた前記第１の物理量とは異なる第２の物理量を有する出力信号を外部測定機器の器差を調整するように出力する測定機器であって、前記外部測定機器に出力される前記出力信号を調整するための動作モード変更ボタン及び少なくとも１つの値調整ボタンと、前記動作モード変更ボタンの操作に続く、前記値調整ボタンによる値増加操作及び値減少操作の少なくとも一方に応じて、前記出力信号の前記第２の物理量の変更を制御する制御手段とを備える。
2016194610.tif 000002
【特許請求の範囲】
【請求項１】
測定対象媒体が示す第１の物理量を測定し、測定値を同一の物理量で可視表示すると共に、測定した前記第１の物理量に対応付けた前記第１の物理量とは異なる第２の物理量を有する出力信号を外部測定機器の器差を調整するように出力する測定機器であって；
前記外部測定機器に出力される前記出力信号を調整するための動作モード変更ボタン及び少なくとも１つの値調整ボタンと；
前記動作モード変更ボタンの操作に続く、前記値調整ボタンによる値増加操作及び値減少操作の少なくとも一方に応じて、前記出力信号の前記第２の物理量の変更を制御する制御手段と；
を備える測定機器。
【請求項２】
前記制御手段は、前記測定対象媒体が示す前記第１の物理量がある範囲を有するとき、前記値調整ボタンによる値増加操作及び値減少操作の少なくとも一方に応じて、前記出力信号の前記第２の物理量を変更することを前記範囲の上限及び下限においてそれぞれ制御する、
請求項１記載の測定機器。
【発明の詳細な説明】
【技術分野】
【０００１】
本発明は、出力信号調整機能を有する測定機器に関する。
【背景技術】
【０００２】
測定機器の一種であるデジタル圧力計は、水、油、及びガスなどの測定対象媒体の圧力を圧力センサなどを用いて測定（計測）し、測定結果の圧力測定値を同一の物理量のデジタル値で可視表示する。【０００３】
このようなデジタル圧力計には、測定した圧力に対応するアナログ出力電流信号（単に、出力電流信号と記載することもある）を外部に出力する機能を有するものがある。このデジタル圧力計においては、例えば、工場出荷の際に、設定した圧力に対するアナログ出力電流信号の出力を調整（校正）するために直流電流計が使用される。【０００４】
アナログ出力電流信号の出力の調整は、操作者がデジタル圧力計に設けられた可変抵抗器を含むボリュームを調整つまみとして操作することにより行われる。電流計を使用したアナログ出力電流信号の出力の調整は、デジタル圧力計を実際に使用する現場においても同様に行われる。
【先行技術文献】
【特許文献】
【０００５】
【特許文献１】特開平１１−２８１５１３号公報
【特許文献２】特開２０００−２６６６２３号公報
【発明の概要】
【発明が解決しようとする課題】
【０００６】
このようなデジタル圧力計においては、工場出荷の際に出力電流信号の出力を調整した電流計と、デジタル圧力計を実際に使用する現場で使用される出力電流信号の出力調整用の電流計とが異なるので、これら２つの電流計のそれぞれの器差による出力電流信号の出力測定に誤差が発生することを避けられない。この結果、工場出荷調整時と実際の使用現場調整時とで同等の調整精度を保つことが困難である。ここで、器差とは、電流計などの測定機器が実際に示す値と本来示すべき値との差であり、測定機器の製作過程から生じる誤差である。【０００７】
本発明の課題は、測定機器の実際の使用現場において、工場出荷などの際に設定された第１の物理量（例えば、圧力）に対応する出力信号（例えば、アナログ出力電流信号）の出力を第１の物理量とは異なる第２の物理量（例えば、電流値）として一層精度良く調整（校正）することを可能にする出力信号調整機能を有する測定機器を提供することにある。
【課題を解決するための手段】
【０００８】
上記課題を解決するために、本発明の出力信号調整機能を有する測定機器は、測定対象媒体が示す第１の物理量を測定し、測定値を同一の物理量で可視表示すると共に、測定した前記第１の物理量に対応付けた前記第１の物理量とは異なる第２の物理量を有する出力信号を外部測定機器の器差を調整するように出力する測定機器であって、前記外部測定機器に出力される前記出力信号を調整するための動作モード変更ボタン及び少なくとも１つの値調整ボタンと、前記動作モード変更ボタンの操作に続く、前記値調整ボタンによる値増加操作及び値減少操作の少なくとも一方に応じて、前記出力信号の前記第２の物理量の変更を制御する制御手段とを備える。【０００９】
ここで、前記制御手段は、前記測定対象媒体が示す前記第１の物理量がある範囲を有するとき、前記値調整ボタンによる値増加操作及び値減少操作の少なくとも一方に応じて、前記出力信号の前記第２の物理量を変更することを前記範囲の上限及び下限においてそれぞれ制御する。
【発明の効果】
【００１０】
開示した本発明の出力信号調整機能を有する測定機器によれば、測定機器の実際の使用現場において、工場出荷などの際に設定された第１の物理量（例えば、圧力）に対応する出力信号（例えば、アナログ出力電流信号）の出力を第１の物理量とは異なる第２の物理量（例えば、電流値）として一層精度良く調整（校正）することができる。【００１１】
他の課題、特徴及び利点は、図面及び特許請求の範囲とともに取り上げられる際に、以下に記載される発明を実施するための形態を読むことにより明らかになるであろう。
【図面の簡単な説明】
【００１２】
【図１】一実施の形態のデジタル圧力計の構成を示す図。
【図２】一実施の形態のデジタル圧力計の構成を示す図。
【図３】一実施の形態のデジタル圧力計の構成を示す図。
【図４】一実施の形態のデジタル圧力計のアナログ出力電流信号調整機能を説明するための図。
【図５】一実施の形態のデジタル圧力計のアナログ出力電流信号調整機能を説明するための図。
【図６】一実施の形態のデジタル圧力計のアナログ出力電流信号調整機能を説明するための図。
【発明を実施するための形態】
【００１３】
以下、添付図面を参照して、さらに詳細に説明する。図面には好ましい実施形態が示されている。しかし、多くの異なる形態で実施されることが可能であり、本明細書に記載される実施形態に限定されない。
【００１４】
［デジタル圧力計の構成］
一実施の形態におけるデジタル圧力計の構成を示す図１、図２及び図３を参照すると、出力信号調整機能を有する測定機器としてのデジタル圧力計１は、筐体（ケース）の主表面に、表示部２及び操作ボタン３を備える。厳密には、表示部２及び操作ボタン３は、筐体内部の基板（図示省略）に実装され、筐体の主表面に露出するように配置される。
【００１５】
表示部２は、主表示部２１、第１の副表示部２２、及び第２の副表示部２３を含む。操作ボタン３は、モード変更（ＭＯＤＥ）ボタン３１、値増加（▲）調整ボタン３２、値減少（▼）調整ボタン３３、及び設定（ＳＥＴ）ボタン３４を含む。
【００１６】
また、デジタル圧力計１は、筐体の主表面に隣接する第１側面に、圧力導入口４及び保護接地端子５を備える。デジタル圧力計１は、筐体の主表面に隣接する第２側面及び第３側面に、電源端子６及び電流計端子７をそれぞれ備える。図２に示すように、電源端子６及び電流計端子７には、交流電源及び電流計（直流電流計）８がそれぞれ接続される。なお、デジタル圧力計１は内部で変換した直流電源で作動する。
【００１７】
さらに、デジタル圧力計１は、図３に示すように、表示部２（２１，２２，２３）及び操作ボタン３（３１，３２，３３，３４）と共に、筐体内部の基板に実装される構成要素として、圧力センサ１１、増幅器（振幅増幅器）１２、アナログ／デジタル（Ａ／Ｄ）変換器１３、プロセッサ及びメモリを含むマイクロコンピュータ１４、表示駆動部１５、入力インタフェース（Ｉ／Ｆ）部１６、デジタル／アナログ（Ｄ／Ａ）変換器１７、及び増幅器（振幅増幅器）１８を備える。
【００１８】
［デジタル圧力計の動作］
［概要動作］
次に、一実施の形態のデジタル圧力計１の概要動作について、図１、図２及び図３を併せ参照して説明する。なお、ここでのデジタル圧力計１の概要動作は、出荷工場及び実際の使用現場の双方におけるものとして説明する。
【００１９】
上述した構成を採るデジタル圧力計１は、電源投入後、水、油、及びガスなどの測定対象媒体の圧力Ｐ［ｋＰａ］を圧力センサ１１、増幅器１２、Ａ／Ｄ変換器１３、及びマイクロコンピュータ１４の協働によって測定する。ここで、測定対象媒体はある範囲の圧力Ｐを有する。
【００２０】
そして、デジタル圧力計１は、マイクロコンピュータ１４及び表示駆動部１５の協働により、測定結果の圧力測定値を同一の物理量である圧力Ｐ［ｋＰａ］対応のデジタル値で表示部２（厳密には、主表示部２１）に可視表示する。
【００２１】
このデジタル圧力計１は、測定結果の圧力測定値に対応するアナログ出力電流信号（単に、出力電流信号と記載することもある）をマイクロコンピュータ１４、Ｄ／Ａ変換器１７、及び増幅器１８の協働により、電流計端子７から電流計８に出力する。
【００２２】
詳述すると、デジタル圧力計１においては、動作モードとしての測定モードまたは設定モードで圧力測定を行う際に、圧力導入口４から入力されるある範囲を有する測定対象媒体の圧力Ｐは、圧力センサ１１によって電気信号に変換される。
【００２３】
圧力センサ１１からの電気信号は、増幅器１２で振幅増幅された後、Ａ／Ｄ変換器１３でデジタルデータに変換される。
【００２４】
Ａ／Ｄ変換器１３によってデジタルデータに変換された圧力測定値は、マイクロコンピュータ１４に入力される。
【００２５】
マイクロコンピュータ１４は、制御プログラムの実行によって、デジタルデータに変換された圧力測定値と圧力との対応関係を予め定めた関数に基づいて演算し、表示駆動部１５を介して表示部２を駆動し、同一の物理量である圧力Ｐ［ｋＰａ］対応のデジタル値で可視表示する。
【００２６】
また、マイクロコンピュータ１４は、制御プログラムの実行によって、デジタルデータに変換された圧力測定値と電流値との対応関係を予め定めた関数に基づいて演算し、圧力測定値に対応する異なる物理量の電流値Ｉ［ｍＡ］を有するアナログ出力電流信号をＤ／Ａ変換器１７及び増幅器１８を介して電流計端子７から電流計８に出力する。
【００２７】
後に詳述するように、このデジタル圧力計１は、測定結果の圧力測定値に対応するアナログ出力電流信号を電流計８に出力し、出力電流値Ｉ［ｍＡ］に基づいて器差調整（校正）を可能にするためのアナログ出力電流信号調整機能を有する。
【００２８】
［アナログ出力電流信号調整機能］
続いて、実際の使用現場において、工場出荷の際に設定された第１の物理量の圧力Ｐ［ｋＰａ］に対応するアナログ出力電流信号の出力を第２の物理量の電流値Ｉ［ｍＡ］として、一層精度良く調整（校正）するためのデジタル圧力計１のアナログ出力電流信号調整機能について、図１〜図６を併せ参照して説明する。
【００２９】
デジタル圧力計１のアナログ出力電流信号調整機能は、図４に示すように、実際の使用現場において、例えば、表示の校正レンジが「０〜１０００」の範囲であり、電流値４ｍＡを出力させたい表示値「０」及び電流値２０ｍＡを出力させたい表示値「１０００」が主表示部２１に表示された際に、デジタル圧力計１に接続した電流計８がアナログ出力電流信号の電流値４ｍＡ（下限）及び／または電流値２０ｍＡ（上限）を丁度示さない場合、これら２点の電流値を任意に調整することを可能にするスケーリング機能である。
【００３０】
したがって、マイクロコンピュータ１４の制御プログラムは、表示値「０〜１０００」の範囲に対して、アナログ出力電流信号の電流値４ｍＡから電流値２０ｍＡまでの範囲をスケーリングする割当設定を予め行われている。
【００３１】
また、マイクロコンピュータ１４の制御プログラムは、アナログ出力電流信号の電流値４ｍＡ（下限）から電流値２０ｍＡ（上限）までの範囲と、測定対象媒体の圧力Ｐの範囲とを予め対応付けられている。
【００３２】
このデジタル圧力計１においては、モード変更ボタン３１及び設定ボタン３４により、設定可能な状態に動作モードをモード変更した後、値増加調整ボタン３２及び値減少調整ボタン３３により、アナログ出力電流信号の電流値の範囲が調整可能である。
【００３３】
マイクロコンピュータ１４の制御プログラムは、モード変更ボタン３１、値増加調整ボタン３２、値減少調整ボタン３３、及び設定ボタン３４のボタン操作を入力Ｉ／Ｆ部１６を介して検出し、モード変更と、アナログ出力電流信号の電流値の変更とを制御する。
【００３４】
具体的には、表示の校正レンジが「０〜１０００」の範囲であり、電流値４ｍＡを出力させたい表示値「０」及び電流値２０ｍＡを出力させたい表示値「１０００」が主表示部２１に表示された際に、デジタル圧力計１に接続された電流計８でアナログ出力電流信号の電流測定を行うと、例えば、僅かにずれた値である電流値１９．９９０ｍＡが測定される場合がある。
【００３５】
このとき、値増加調整ボタン３２及び／または値減少調整ボタン３３の操作により、１０００表示時のアナログ出力電流信号の出力を電流値１９．９９０ｍＡから電流値２０．０００ｍＡへ微調整を行うことが可能である。
【００３６】
この結果、再度、１０００表示させると、電流値２０．０００ｍＡが測定でき、意図したアナログ出力電流信号の出力が得られるようになる。
【００３７】
つまり、このデジタル圧力計１においては、工場出荷の際に調整を行った電流計と異なる電流計を実際の使用現場において使用して測定すると、１０００表示（２０ｍＡ）時の出力が、２０．０００ｍＡ以外の値となったとき、モード変更ボタン３１によるモード変更に応じてアナログ出力調整モードに移行し、更に値増加調整ボタン３２及び値減少調整ボタン３３の操作に応じて電流計８の測定値が２０．０００ｍＡになるように微調整可能である。
【００３８】
図５及び図６に示す処理は、マイクロコンピュータ１４の制御プログラムにより遂行される。
【００３９】
アナログ出力電流信号調整においては、デジタル圧力計１の操作者が測定モード中にモード変更ボタン３１を長押しすると、このボタン操作を検出して測定モードから設定モードに移行する（図６中のＳ６１）。
【００４０】
設定モードへ移行した後、アナログ出力調整モードへの移行許可が選択入力されると、第１の副表示部（副表示１）２２に分類番号「９」を表示し、第２の副表示部（副表示２）２３に設定分類（分類内容）「ＡＯ．ＡＪ」を表示する（Ｓ６２）。
【００４１】
ここでは、値増加調整ボタン３２または値減少調整ボタン３３がスクロールボタンとして押され、このボタン操作を検出して設定分類のアナログ出力調整モードへの移行を確定する（Ｓ６３）。
【００４２】
例えば、主表示部（主表示）２１に表示する変更したい設定項目の内容「４ｍＡ時出力調整」及び「２０ｍＡ時出力調整」に対して、値増加調整ボタン３２または値減少調整ボタン３３の押下操作により設定値「２７」及び「８１」を設定し、モード変更ボタン３１を１回押した後、設定ボタン３４を２回押す操作を操作者が行うと、これらのボタン操作を検出し、設定された状態をマイクロコンピュータ１４内蔵のメモリ（不揮発メモリ）に書き込んで測定モードに戻る。測定モードに戻ることにより、変更された新しいパラメータを有効にする（Ｓ６４）。
【００４３】
［変形例］
上述した一実施の形態における処理はコンピュータで実行可能なプログラムとして提供され、ＣＤ−ＲＯＭやフレキシブルディスクなどの非一時的コンピュータ可読記録媒体、さらには通信回線を経て提供可能である。
【００４４】
また、上述した一実施の形態における各処理はその任意の複数または全てを選択し組合せて実施することもできる。
【符号の説明】
【００４５】
１      デジタル圧力計
２      表示部
２１    主表示部
２２    第１の副表示部
２３    第２の副表示部
３      操作ボタン
３１    モード変更ボタン
３２    値増加調整ボタン
３３    値減少調整ボタン
３４    設定ボタン
４      圧力導入口
５      保護接地端子
６      電源端子
７      電流計端子
８      電流計（直流電流計）
１４    マイクロコンピュータ
【図１】
2016194610.tif 000003
【図２】
2016194610.tif 000004
【図３】
2016194610.tif 000005
【図４】
2016194610.tif 000006
【図５】
2016194610.tif 000007
【図６】
2016194610.tif 000008
【国際調査報告】
2016194610.tif 000009
2016194610.tif 000010